(57)【要約】【課題】表示部を視軸に対して容易に合わせることが可能なヘッドマウントディスプレイを提供する。【解決手段】ヘッドホーンハウジング１は、連結アーム２により結合され、連結アーム２は、ヘッドホーンハウジング１の装着時に人間の頭部の上部に位置するようになっている。ヘッドホーンハウジング１には、ディスプレイアーム保持部３が、ヘッドホーンハウジング１に対して±１８０°の回動が可能となるように取り付けられており、ディスプレイアーム保持部３には、ディスプレイアーム４が、使用時における前後方向にスライド可能に取り付けられている。ディスプレイアーム４の先端部には、表示部保持部５が取り付けられている。ディスプレイアーム４は、ヘッドホーンハウジング１に対して、装着時の前後方向を中心軸とする回動が可能なように取り付けられている。【選択図】  図１
2007251509.tif 000002
【特許請求の範囲】
【請求項１】
２つの側頭部接触部を連結する連結部と、前記側頭部接触部の一つに、前記側頭部接触部に対して前進、後退が可能、かつ、前記側頭部接触部に支持され、その支持された位置を中心とする上下方向の回動が可能に取り付けられ、先端部が曲げられたディスプレイアームと、前記ディスプレイアームの先端部に、前記ディスプレイアームに対してスライド可能に設けられた表示部保持部と、前記表示部保持部に直交３軸回動が可能なように取り付けられた表示部とを有することを特徴とするヘッドマウントディスプレイ。
【請求項２】
２つの側頭部接触部を連結する連結部と、前記側頭部接触部の一つに、前記側頭部接触部に対して前進、後退が可能、かつ、前記ヘッドホーンを中心とする上下方向の回動が可能に取り付けられ、先端部が曲げられたディスプレイアームと、前記ディスプレイアームの先端部に、直交３軸回動が可能なように取り付けられた表示部保持部と、前記表示部保持部に対してスライド可能に設けられた表示部とを有することを特徴とするヘッドマウントディスプレイ
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１号公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。
【特許文献１】ＷＯ２００４／０６１５１９Ａ１号公報
【発明の開示】
【発明が解決しようとする課題】
【０００４】
片目タイプのヘッドマウントディスプレイは、表示部を眼前において使用するが、非使用時には、頭部に装着可能なヘッドホーンに取り付けられたアーム部を回転させることにより、表示部を頭部上方に待避させることがある。このとき、再度眼前に表示部を配置した場合に、視軸に対して表示部がずれることがある。従来公知のヘッドマウントディスプレイにおいては、このようなとき、再度、表示部位置を視軸に合わせることが困難であった。
【０００５】
本発明はこのような事情に鑑みてなされたもので、表示部を視軸に対して容易に合わせることが可能なヘッドマウントディスプレイを提供することを課題とする。
【課題を解決するための手段】
【０００６】
前記課題を解決するための第１の手段は、２つの側頭部接触部を連結する連結部と、前記側頭部接触部の一つに、前記側頭部接触部に対して前進、後退が可能、かつ、前記側頭部接触部に支持され、その支持された位置を中心とする上下方向の回動が可能に取り付けられ、先端部が曲げられたディスプレイアームと、前記ディスプレイアームの先端部に、前記ディスプレイアームに対してスライド可能に設けられた表示部保持部と、前記表示部保持部に直交３軸回動が可能なように取り付けられた表示部とを有することを特徴とするヘッドマウントディスプレイである。
【０００７】
前記課題を解決するための第２の手段は、２つの側頭部接触部を連結する連結部と、前記側頭部接触部の一つに、前記側頭部接触部に対して前進、後退が可能、かつ、前記側頭部接触部を中心とする上下方向の回動が可能に取り付けられ、先端部が曲げられたディスプレイアームと、前記ディスプレイアームの先端部に、直交３軸回動が可能なように取り付けられた表示部保持部と、前記表示部保持部に対してスライド可能に設けられた表示部とを有することを特徴とするヘッドマウントディスプレイである。
【発明の効果】
【０００８】
本発明によれば、表示部を視軸に対して容易に合わせることが可能なヘッドマウントディスプレイを提供することができる。
【発明を実施するための最良の形態】
【０００９】
以下、本発明の実施の形態の例を、図を用いて説明する。図１、図２は、本発明の実施の形態の１例であるヘッドマウントディスプレイの概要を示す図であり、図１は斜視図、図２は平面図である。２つの側頭部接触部であるスピーカとその一部であるヘッドホーンハウジング１は、連結アーム２により結合され、連結アーム２は、ヘッドホーンハウジング１の装着時に人間の頭部の上部に位置するようになっている。ヘッドホーンハウジング１には、ディスプレイアーム保持部３が、ヘッドホーンハウジング１に対して±１８０°の回動が可能となるように取り付けられており、ディスプレイアーム保持部３には、ディスプレイアーム４が、使用時における前後方向にスライド可能に取り付けられている。ディスプレイアーム４の先端部は、使用時において顔面と平行になるように曲げられており、この先端部には、表示部保持部５が取り付けられている。
【００１０】
表示部保持部５には、表示部６が取り付けられているが、この取り付け方法は、球面軸受け７により行われており、これにより、表示部６は、表示部保持部５に対して直交する３軸の周りに回動が可能とされている（直交３軸回動）。
【００１１】
ヘッドホーンハウジング１に対するディスプレイアーム保持部３の回動により、表示部６の上下方向の位置調整と、不使用時の眼前からの表示部６の待避が可能となる。ディスプレイアーム４のディスプレイアーム保持部３に対するスライドにより、表示部６の前後方向の位置調整が可能となる。又、表示部保持部５のディスプレイアーム４に対するスライドにより、表示部６の左右方向の位置調整が可能となる。さらに、表示部６の表示部保持部５に対する直交３軸回動により、表示部６の３次元角度調整が可能となる。本実施の形態のヘッドマウントディスプレイは、このように多くの調整箇所を有するので、表示部を視軸に対して容易に合わせることが可能である。さらに、ヘッドホーンハウジング１に対してディスプレイアーム保持部３を１８０°回動させることにより、図１、図２においては左眼用として使用されていたものを、右眼用として使用することもできる。
【００１２】
図３は、図１、図２に示した実施の形態の変形例を示す平面図である。この例においては、ディスプレイアーム４の先端部の一部が固定体４ａとなっており、この固定体４ａに球面軸受け７を介して表示部保持部５が保持されている。そして、表示部６が、表示部保持部５に対してスライド可能に保持されている。よって、機能的には、図１、図２に示したものと同様の働きを生ずる。
【００１３】
なお、ディスプレイアームは、上記の形態だけに限定されず、全体的に湾曲したものでもよい。又、側頭部接触部も、上記のようなものに限定されず、使用者の側頭部に当接することで、ヘッドマウントディスプレイが使用者の頭部に装着可能な構造を持つものであればよい。
【図面の簡単な説明】
【００１４】
【図１】本発明の実施の形態の１例であるヘッドマウントディスプレイの概要を示す図である。
【図２】本発明の実施の形態の１例であるヘッドマウントディスプレイの概要を示す図である。
【図３】図１、図２に示したヘッドマウントディスプレイの変形例を示す図である。
【符号の説明】
【００１５】
１…ヘッドホーンハウジング、２…連結アーム、３…ディスプレイアーム保持部、４…ディスプレイアーム、４ａ…固定体、５…表示部保持部、６…表示部、７…球面軸受け
【図１】
2007251509.tif 000003
【図２】
2007251509.tif 000004
【図３】
2007251509.tif 000005